(57)【要約】【課題】液晶表示パネルのガラス板とＦＰＣのベースフィルムとを接続後に、ＦＰＣの裂けによる断線を防止すること。【解決手段】ＦＰＣ２０は、ベースフィルム２１の略中央にＩＣチップ２２が配置され、複数の接続端子２３がＩＣチップ２２から延びる。ＦＰＣ２０には、複数の接続端子２３の外側両端部に、これらの接続端子２３の延伸する方向と平行に電気的接続には関与しないダミー端子２４が設けられる。ダミー端子２４の液晶表示パネル１０から見た遠位端（図３において、湾曲部２４ａ）は、それぞれベースフィルム２１の両側の端縁に向けて延伸し、ベースフィルム２１の概ね端部まで達するように形成される。【選択図】　　　図３
2004055997.tif 000002
【特許請求の範囲】
【請求項１】
フレキシブルプリント基板の有効接続端子群の両端の外側位置に電気的接続には関与しないダミー端子を配置し、このダミー端子の一部または全部を湾曲させたことを特徴とする電気的接続構造。
【請求項２】
前記ダミー端子の一端は、前記フレキシブルプリント基板の端縁まで延びて形成されていることを特徴とする請求項１に記載の電気的接続構造。
【請求項３】
前記ダミー端子は、前記フレキシブルプリント基板の応力集中部分に形成されていることを特徴とする請求項１または２に記載の電気的接続構造。
【請求項４】
前記ダミー端子は、フレキシブルプリント基板の有効接続端子を形成した面の裏面に形成されていることを特徴とする請求項１〜３のいずれか一つに記載の電気的接続構造。
【請求項５】
前記ダミー端子のパターンは、有効接続端子群よりも幅広のべたなパターンであるか、あるいは複数本のパターンから構成されていることを特徴とする請求項１〜４のいずれか一つに記載の電気的接続構造。
【請求項６】
請求項１〜５のいずれか一つに記載の電気的接続構造を有することを特徴とするフレキシブルプリント基板。
【請求項７】
請求項１〜５のいずれか一つに記載の電気的接続構造を有することを特徴とする電気光学装置。
【請求項８】
請求項１〜５のいずれか一つに記載の電気的接続構造を有することを特徴とする電子機器。
【発明の詳細な説明】
【０００１】
【発明の属する技術分野】
本発明は、電気的接続構造の配線技術に関し、より詳細には、フレキシブルプリント基板（以下、「ＦＰＣ」という）状に配線された電気的接続構造、並びにそれを用いた電気光学装置及び電子機器に関する。
【０００２】
【従来の技術】
従来、ＦＰＣの接続端子群は、液晶表示パネルの外部回路との接続用の端子取り出し部と相対向して形成され、電気的接続がなされていた。この場合、液晶表示パネルのガラス板とＦＰＣのベースフィルムとの間の接続部分では、両者の熱膨張係数の違いなどによる応力が生じた場合、最外端の接続端子が断線を起こしてしまうという欠点があった。
【０００３】
この欠点を解消するために、応力等による断線を防止して、接続信頼性の高いＦＰＣを得るために、接続端子群の外側両端部に電気的接続には関与しない補強部材（ダミー端子）を配置していた。例えば特開２０００−２５２６０２号公報に記載の技術では、図１３に示すように、ＦＰＣ５０の有効接続端子５１の外側にダミー端子５２を設けるようにしている。また、ダミー端子５２は、ＦＰＣ５０の機械的な強度を向上し、ＦＰＣ５０の端縁からの裂けをくい止める機能を有する。これにより、ＦＰＣ５０の裂けにより断線が発生するのを防止できる。
【０００４】
【発明が解決しようとする課題】
しかしながら、従来のＦＰＣによる電気的接続においては、同図に示されるように、ダミー端子を有効接続端子に略平行に配置していたため、ＦＰＣ端縁から発生した裂け目が進んで縦裂け（有効接続端子およびダミー端子と平行に裂ける）となった場合、この裂け目の進行を阻止できないという問題点がある。
【０００５】
そこで、この発明は、上記に鑑みてなされたものであって、ＦＰＣの裂け目の進行を阻止できる電気的接続構造、並びにその電気的接続構造を用いた電気光学装置及び電子機器を提供することを目的とする。
【０００６】
【課題を解決するための手段】
上記課題を解決するために、本発明の電気的接続構造は、フレキシブルプリント基板の有効接続端子群の両端の外側位置に、電気的接続には関与しないダミー端子を配置し、このダミー端子の一部または全部を湾曲させたことを特徴とする。
【０００７】
本発明によれば、ＦＰＣの外側両端部に一部または全部が湾曲したダミー端子を配置したので、ベースフィルムの接続部分に縦裂けが生じたとしても、裂け方向がダミー端子のいずれかの部分に対して略垂直方向となるから、それ以上裂け難くなる。また、縦裂けのみならず、あらゆる方向から裂けが発生しても、ダミー端子を湾曲形状とすることで、この裂け目がダミー端子を非平行に発生してもこれの進行を殆ど阻止できる。
【０００８】
ここで、前記ダミー端子の一端は、前記フレキシブルプリント基板の端縁まで延びて形成されていてもよく、この場合、ベースフィルムの裂けが生じても、その裂けはそこで止まるか或いは端縁まで延びたダミー端子に進むので、さらに有効接続端子の断線を有効に防止できる。
【０００９】
また、前記ダミー端子は、前記フレキシブルプリント基板の応力集中部分に形成されていてもよく、さらに、ダミー端子は、フレキシブルプリント基板の有効接続端子を形成した面の裏面に形成されていてもよい。
【００１０】
また、前記ダミー端子のパターンは、有効な接続端子群よりも幅広のべたなパターンであるか、あるいは複数本のパターンから構成されていてもよい。これにより、ベースフィルムを裂け難くし、或いはその進行を阻止できる。
【００１１】
ここで、上記の電気的接続構造をフレキシブルプリント基板に適用してもよく、その適用されたフレキシブルプリント基板を電気光学装置や電子機器に適用してもよい。電気光学装置としては、例えば、液晶表示パネルを含む液晶表示装置等が挙げられ、電子機器としては、その電気光学装置（液晶表示装置）を用いた携帯電話機などが挙げられるが、これに限定されず、本発明のフレキシブルプリント基板が適用できるものであれば、どのようなものでもよい。
【００１２】
【発明の実施の形態】
以下、この発明につき図面を参照しつつ詳細に説明する。なお、この実施の形態によりこの発明が限定されるものではない。また、この実施の形態の構成要件には、当業者により置換可能かつ容易なもの、或いは実質的に同一のものが含まれる。
【００１３】
（液晶表示装置の実施の形態）
図１は、本発明の電気的接続構造を適用する電子機器の一例である携帯電話機の外観を示す斜視図である。この図１において、携帯電話機１は、その上半部分に電気光学装置としての液晶表示パネル１０を用いた表示部２と、下半部分に複数のキーボタン３０が配置された操作部３とを備える。また、表示部２の情報にはスピーカ穴４が形成され、操作部３の下方にはマイク穴５が形成されている。本発明の電気的接続構造は、電子機器中の電気光学装置に適用されるものであり、図１には、電子機器の一例として携帯電話機１が示される。このような電子機器としては、携帯電話機１の他に、例えば、ＰＤＡ（Ｐｅｒｓｏｎａｌ　Ｄｉｇｉｔａｌ　Ａｓｓｉｓｔａｎｔｓ）と呼ばれる携帯型情報機器や携帯型パーソナルコンピュータ、パーソナルコンピュータ、デジタルスチルカメラ、車載用モニタ、デジタルビデオカメラ、液晶テレビ、ビューファインダ型、モニタ直視型のビデオテープレコーダ、カーナビゲーション装置、ページャ、電子手帳、電卓、ワードプロセッサ、ワークステーション、テレビ電話機、ＰＯＳ端末機など、電気光学装置である液晶表示パネルを用いる機器が挙げられる。したがって、これらの電子機器における電気的接続構造であっても、本発明が適用可能であることはいうまでもない。
【００１４】
図２は、本発明が適用される電気光学装置の一例である液晶表示パネルの概略平面図である。この液晶表示パネル１０は、図１の携帯電話機１の電気光学装置を構成する部材である。液晶表示パネル１０は、例えばパッシブマトリクス型のカラー液晶表示パネルであり、複数の電極からなる電極パターン１１を備える。この電極パターン１１は、縦方向及び横方向の２つのパターンがそれぞれ２つの透明基板１２上に形成されており（有効表示領域１１ａ）、その上下（図２において、紙面の表側と裏側）に偏光板（図示せず）を貼着した構造である。また、この液晶表示パネル１０は、透過型の液晶表示パネルであり、図示しない照明装置をバックライトとして用いる。なお、アクティブマトリックス型のカラー液晶表示パネルであっても同様である。
【００１５】
ＦＰＣ２０は、ベースフィルム２１の略中央にＩＣチップ２２が実装され、ＩＣチップ２２から延びる有効接続端子２３のそれぞれは、液晶表示パネル１０の電極パターンのそれぞれに電気的に接続される。また、有効接続端子２３は、金属導線（例えば銅線など）からなり、ベースフィルム２１上に形成された後、保護膜であるカバーレイによって被覆固定される。一方、有効接続端子２３は、制御用回路基板２８の電極パターン２８ａに接続される。制御用回路基板には、複数の電子部品２９が実装されている。ＩＣチップ２２は、図示しない制御部から入力された信号に基づき、電極パターン１１に駆動信号を出力する。また、ＦＰＣ２０には、複数の有効接続端子２３の外側両端部には、これらの有効接続端子２３の延伸方向に対して平行に、電気的接続には関与しないダミー端子２４が設けられる。ＦＰＣ２０は、接続端子２３及びダミー端子２４が配設される端部を透明基板１２に加熱圧着され、固定される。
【００１６】
図３は、図２の液晶表示パネル１０とＦＰＣ２０の接続部分の拡大図である。同図に示すように、ダミー端子２４の端は、それぞれベースフィルム２１の両側の端縁に向けて湾曲している（図３において、湾曲部２４ａ）。この湾曲部２４ａの末端は、ベースフィルム２１の概ね端縁まで達している。また、ＦＰＣ２０では、透明基板１２との接続の境界部分２１ａが比較的力の集中する部分であるため、ダミー端子２４は、図２及び図３に示したように、この力集中部分に設けるのが好ましい。このように、本発明の電気的接続構造によれば、ダミー端子２４により有効接続端子２３の延びる方向に垂直な方向（図３において、矢印Ｘの方向）へのベースフィルム２１の裂けを防止できると共に、図４に示すように、そのダミー端子２４に湾曲部２４ａが形成されているので、一旦Ｘ方向に裂け目６０が生じ、更にダミー端子２４に沿ってＹ方向に縦裂け目６１が進行したとしても、湾曲部２４ａにより当該縦裂け目６１の進行を阻止できる。
【００１７】
以上のように、本発明の電気的接続構造は、複数の有効接続端子２３の外側両端部に、電気的接続には関与しないダミー端子２４が設けられ、当該ダミー端子２４の一端の湾曲部２４ａがベースフィルム２１の端縁に向けて湾曲している。したがって、本発明の電気的接続構造では、ベースフィルム２１の接続部分に裂けが生じたとしても、この裂け目がいかなる方向にも進行し難い。この結果、接続信頼性の高い電気的接続構造が得られる。
【００１８】
また、ダミー端子２４のプリントパターンは、有効接続端子２３の幅よりも広くしても良い。即ち、ダミー端子２４を、有効接続端子２５の両側のスペースにべたで形成しても良い。また、ダミー端子２４は、複数本のプリントパターンから構成されてもよい（図３においては、２本）。これにより、ダミー端子２４の強度が向上し、接続端子２３の断線を防止することができ、接続信頼性の高い電気的接続構造が得られる。更に、上記実施の形態では、ダミー端子２４をＦＰＣの有効接続端子２３が形成されている面）に形成したが、ＦＰＣの裏面にダミー端子を形成しても良い。この場合、有効接続端子２３の配線領域とダミー端子２４の配線領域とが多少重なっても問題ない。
【００１９】
図５は、ダミー端子の別の形状を示す平面図である。同図（ａ）に示すように、力集中部分であるＦＰＣと透明基板１２との境界部分２１ａを囲むようにして半円形のダミー端子２６を形成しても良い。また、このダミー端子２６は、複数設けても良い。ダミー端子２６の両端部は、ＦＰＣ２０の端縁まで形成されている。更に、同図（ｂ）に示すように、櫛形のダミー端子２７を形成しても良い。同様に、ダミー端子２６の両端部は、ＦＰＣ２０の端縁まで形成される。このように、力集中部分を囲むようにダミー端子を形成することで、ＦＰＣの裂け目が有効接続端子２３まで進むのを防止できる。また、裂け目がいずれの方向に発生しても、その裂け目の進行を阻止できる。これは、力集中部分以外のＦＰＣ端縁から裂けが発生した場合も略同様である。
【００２０】
図６は、この発明の変形例を示す平面図である。液晶表示装置の透明基板２０１上には、ＩＴＯ等の電極パターンで形成したセグメントライン２０２、およびこのセグメントライン２０２に直交するコモンライン２０３が形成されている。また、透明基板２０１上には、ドライバであるＩＣチップ２０４が実装され、このＩＣチップ２０４の実装領域にはＩＣ出力配線２０５およびＩＣ入力配線２０６が形成される。ＦＰＣ２０７の一端は、このＩＣ入力配線２０６にＡＣＦ接続され、他端は、制御用回路基板２０８にＡＣＦ接続される。制御用回路基板２０８上に制御用の電子部品２０９が実装されている。
【００２１】
ＦＰＣ２０７の外側両端部であって、透明基板２０１および制御用回路基板２０８との接続部分近傍には、ダミー端子２１０が形成されている。このダミー端子２１０は、両端縁から有効な接続端子２１１と平行に形成され途中から湾曲して（湾曲部２１０ａ）ＦＰＣ両端縁２０７ａに至る。このダミー端子２１０により、ＦＰＣ２０７の接続部分に裂けが生じたとしても、この裂け目がいかなる方向にも進行し難い。この結果、接続信頼性の高い電気的接続構造が得られる。
【００２２】
同様の変形例を図７の平面図に示す。この液晶表示装置では、ＦＰＣ３０１上にＩＣチップ３０２を実装し、このＦＰＣ３０１の両端を液晶表示パネルの透明基板３０３および制御用回路基板３０４にＡＣＦ接続したものである。制御用回路基板３０４にには、複数の電子部品３１０が実装されている。ＩＣチップ３０２にＦＰＣ３０１を介して接続した透明基板３０３上の入力配線３０５は、互いに直交するセグメントライン３０６とコモンライン３０７に接続する。上記同様、ＦＰＣ３０１の外側両端部であって、透明基板３０３および制御用回路基板３０４との接続部分近傍には、ダミー端子３０８が形成されている。このダミー端子３０８は、両端縁から有効な接続端子３０９と平行に形成され途中から湾曲して（湾曲部３０８ａ）ＦＰＣ両端縁に至る。このダミー端子３０８により、ＦＰＣ３０１の接続部分に裂けが生じたとしても、この裂け目がいかなる方向にも進行し難い。この結果、接続信頼性の高い電気的接続構造が得られる。
【００２３】
（有機ＥＬ装置の実施の形態）
図８は、電気光学装置の一例であるアクティブマトリクス方式のＥＬ（Ｅｌｅｃｔｒｏ　Ｌｕｍｉｎｅｓｃｅｎｃｅ）装置４１０に本発明を適用した場合の実施形態を示している。また、図９は、図８におけるＫ−Ｋ’線に従ってＥＬ装置４１０の断面構造を示している。これらの図において、基板４００上に、複数の画素が形成される領域、すなわち表示領域Ｖと、ゲート側駆動回路４０２と、ソース側駆動回路４０３とが形成される。それぞれの駆動回路からの各種配線は、入出力配線４１２，４１３，４１４を経てＦＰＣ４１１へ至り、このＦＰＣ４１１を介して外部機器へと接続される。ＦＰＣ４１１は、ＡＣＦ（Ａｎｉｓｏｔｒｏｐｉｃ　Ｃｏｎｄｕｃｔｉｖｅ　Ｆｉｌｍ）４１５によって基板４００の辺端部に接続されている。
【００２４】
また、ＦＰＣ４１１の基板４００への接続部分近傍で且つ両外側位置には、ダミー端子４６０が設けられている。ダミー端子４６０は、ＦＰＣの端部から延出し、途中から湾曲して（湾曲部４６０ａ）ＦＰＣの両端縁４１１ａに至る。このダミー端子により、ＦＰＣの基板４００への接続部分に裂けが生じたとしても、この裂け目がいかなる方向にも進行し難い。この結果、接続信頼性の高い電気的接続構造が得られる。
【００２５】
なお、基板４００は、例えば、ガラス基板、ガラスセラミックス基板、石英基板、シリコン基板、セラミックス基板、金属基板、プラスチック基板又はプラスチックフィルム等によって形成される。このとき、少なくとも表示領域Ｖを囲むようにして、好ましくは駆動回路４０２，４０３及び表示領域Ｖを囲むようにして、ハウジング４０４を設ける。このハウジング４０４は、その内側の高さ寸法が表示領域Ｖの高さよりも大きい凹部を有する形状又はそのような凹部を持たないシート形状であり、接着剤４０５によって、基板４００と協働して密閉空間を形成するようにして基板４００に固着される。このとき、ＥＬ素子は上記の密閉空間に完全に封入された状態となり、外気から完全に遮断される。
【００２６】
ハウジング４０４は複数設けることもできる。また、ハウジング４０４の材質は、ガラス、ポリマー等といった絶縁性物質が好ましい。例えば、硼硅酸塩ガラス、石英等といった非晶質ガラス、結晶化ガラス、セラミックスガラス、有機系樹脂（例えば、アクリル系樹脂、スチレン系樹脂、ポリカーボネート系樹脂、エポキシ系樹脂等）、シリコーン系樹脂等とすることができる。また、接着剤４０５が絶縁性物質であるならば、ステンレス合金等といった金属材料を用いることもできる。
【００２７】
接着剤４０５としては、エポキシ系樹脂、アクリレート系樹脂等といった接着剤を用いることができる。また、熱硬化性樹脂や光硬化性樹脂を接着剤として用いることもできる。但し、可能な限り酸素、水分を透過しない材質であることが必要である。ハウジング４０４と基板４００との間の空隙４０６には、アルゴン、ヘリウム、窒素等といった不活性ガスを充填しておくことが望ましい。また、ガスに限らず不活性液体、例えばパーフルオロアルカンに代表される液状フッ素化炭素等を用いることもできる。また、空隙４０６内に乾燥剤を入れておくことも有効であり，そのような乾燥剤としては、例えば、酸化バリウムが考えられる。図８に示すように、表示領域Ｖには個々に独立した複数の表示ドット４５０がマトリクス状に配列されている。図９に示すように、これらの表示ドット４５０の全ては保護電極５４９を共通電極として有している。保護電極５４９は、ハウジング４０４の内部領域であってＦＰＣ４１１に近い側の領域４０８において、入力配線４１３の一部に接続される。保護電極５４９には、ＦＰＣ４１１及び入出力配線４１３を通して所定の電圧、例えば接地電位、例えば０Ｖが印加される。
【００２８】
図１０は、図８における矢印ＩＩＩに従って、互いに隣り合う２つの表示ドット４５０を示している。また、図１１はそれらの表示ドット内の電気的な回路構成を等価回路図として示している。また、図１２は、図１０におけるＶ−Ｖ線に従って、ＥＬ素子を駆動するためのアクティブ素子部分の断面構造を示している。
【００２９】
図１０及び図１１に示すように、個々の表示ドット４５０は、スイッチング用素子として機能するスイッチング用ＴＦＴ５０１と、ＥＬ素子へ流す電流量を制御する電流制御用素子として機能する電流制御用ＴＦＴ５０２とを有する。スイッチング用ＴＦＴ５０１のソースはソース配線５２１に接続され、そのゲートはゲート配線５１１に接続され、そして、そのドレインは電流制御用ＴＦＴ５０２のゲートに接続される。
【００３０】
また、電流制御用ＴＦＴ５０２のソースは電流供給線５１２に接続され、そのドレインはＥＬ素子５０３に接続される。なお、ＥＬ素子５０３は、発光層を含むＥＬ層を陽極と陰極とによって挟んだ構造の発光素子である。図１０では、画素電極５４６が略方形状の陽極として示され、発光層を含むＥＬ層５４７がその画素電極５４６の上に積層され、その上に各表示ドット４５０に共通する共通電極としての陰極（図示せず）が積層され、この積層構造によってＥＬ素子５０３が形成される。
【００３１】
図１２において、基板４００の上にカラーフィルタ基板５０６が形成される。このカラーフィルタ基板５０６は、例えば、カラーフィルタ基板を用いて構成できる。このカラーフィルタ基板の構造及び製造方法の説明は省略するが、この実施形態においても、区画材は色絵素の材料及び保護層の材料に対して撥ね合う性質を有する樹脂によって形成される。またさらに、区画材の表面には、保護層の液状材料に対して撥ね合う性質を減少させる表面処理が施される。区画材に関する上記のような構成により、保護層の表面は非常に高精度に平坦に形成される。このため、カラーフィルタ基板５０６の表面上に形成される他の膜要素は希望の位置に希望の寸法で高精度に形成することが可能となる。なお、前記カラーフィルタ基板を構成する各色絵素は、少なくとも図９における有効表示領域Ｖよりも広い範囲に設けられる。
【００３２】
本実施形態では、図１０において、１つの表示ドット４５０内に２つのＴＦＴ、具体的にはスイッチング用素子として機能するスイッチング用ＴＦＴ５０１と、ＥＬ素子へ流す電流量を制御する電流制御用素子として機能する電流制御用ＴＦＴ５０２とが設けられる。これらのＴＦＴは、本実施形態では、どちらもｎチャネル型ＴＦＴとして形成したが、両方又はどちらかをｐチャネル型ＴＦＴとすることもできる。
【００３３】
図１２において、スイッチング用ＴＦＴ５０１は、ソース領域５１３、ドレイン領域５１４、ＬＤＤ（Ｌｉｇｈｔｌｙ　Ｄｏｐｅｄ　Ｄｒａｉｎ）領域５１５ａ，５１５ｂ，５１５ｃ，５１５ｄ、高濃度不純物領域５１６及びチャネル形成領域５１７ａ，５１７ｂの５種類の要素を含む活性層を有する。また、スイッチング用ＴＦＴ５０１は、ゲート絶縁膜５１８と、ゲート電極５１９ａ，５１９ｂと、第１層間絶縁膜５２０と、ソース配線５２１と、ドレイン配線５２２とを有する。
【００３４】
図１０に示すように、ゲート電極５１９ａ，５１９ｂは、当該ゲート電極５１９ａ，５１９ｂよりも低抵抗である別の材料によって形成されたゲート配線５１１によって電気的に接続されたダブルゲート構造となっている。もちろん、ダブルゲート構造だけでなく、トリプルゲート構造等といった、いわゆるマルチゲート構造、すなわち、直列に接続された２つ以上のチャネル形成領域を有する活性層を含む構造、であっても良い。
【００３５】
活性層は、結晶構造を含む半導体膜、すなわち、単結晶半導体膜や多結晶半導体膜や微結晶半導体膜等によって形成される。また、ゲート電極５１９ａ，５１９ｂ、ソース配線５２１、ドレイン配線５２２は、あらゆる種類の導電膜を用いることができる。さらに、スイッチング用ＴＦＴ５０１においては、ＬＤＤ領域５１５ａ〜５１５ｄは、ゲート絶縁膜５１８を介してゲート電極５１９ａ，５１９ｂと重ならないように設ける。このような構造は、オフ電流値を低減する上で非常に効果的である。
【００３６】
次に、図１２において、電流制御用ＴＦＴ５０２は、ソース領域５３１、ドレイン領域５３２、ＬＤＤ領域５３３及びチャネル形成領域５３４の４種類の要素を含む活性層と、ゲート絶縁膜５１８と、ゲート電極５３５と、第１層間絶縁膜５２０と、ソース配線５３６と、ドレイン配線５３７とを有する。なお、ゲート電極５３５はシングルゲート構造となっているが、これに代えて、マルチゲート構造とすることもできる。
【００３７】
図１２において、スイッチング用ＴＦＴ５０１のドレインは電流制御用ＴＦＴのゲートに接続されている。具体的には、電流制御用ＴＦＴ５０２のゲート電極５３５は、スイッチング用ＴＦＴ５０１のドレイン領域５１４とドレイン配線５２２を介して電気的に接続されている。また、ソース配線５３６は、電流供給線５１２に接続される。電流制御用ＴＦＴ５０２は、ＥＬ素子５０３を発光させるための電流を供給すると同時に、その供給量を制御して階調表示を可能とする。そのため、電流を流しても劣化しないようにホットキャリア注入による劣化対策を講じておく必要がある。また、黒色を表示する際は、電流制御用ＴＦＴ５０２をオフ状態にしておくが、その際，オフ電流値が高いときれいな黒色表示ができなくなり、コントラストの低下を招く。従って、オフ電流値も抑えることが望ましい。
【００３８】
図１２において、第１層間絶縁膜５２０の上に第１パシベーション膜５４１が形成される。この第１パシベーション膜５４１は、例えば、珪素を含む絶縁膜によって形成される。この第１パシベーション膜５４１は、形成されたＴＦＴをアルカリ金属や水分から保護する機能を有する。最終的にＴＦＴの上方に設けられるＥＬ層にはナトリウム等といったアルカリ金属が含まれている。すなわち、第１パシベーション膜５４１は、これらのアルカリ金属をＴＦＴ側に侵入させない保護層として機能する。
【００３９】
また、第１パシベーション膜５４１に放熱機能を持たせれば、ＥＬ層の熱劣化を防ぐこともできる。また、図１２の構造では基板４００に光が放射されるため、第１パシベーション膜５４１は透光性を有することが必要である。また、ＥＬ層として有機材料を用いる場合、そのＥＬ層は酸素との結合によって劣化するので、酸素を放出し易い絶縁膜は用いないことが望ましい。
【００４０】
第１パシベーション膜５４１の上には、各ＴＦＴを覆うような形で第２層間絶縁膜５４４が形成される。この第２層間絶縁膜５４４は、ＴＦＴによって形成される段差を平坦化する機能を有する。この第２層間絶縁膜５４４としては、例えば、ポリイミド、ポリアミド、アクリル等といった有機樹脂膜を用いることができる。もちろん、十分な平坦化が可能であれば、無機膜を用いることもできる。ＥＬ層は非常に薄いため、それを形成する面に段差が存在すると発光不良を起こす場合がある。従って、第２層間絶縁膜５４４によってＴＦＴによる段差を平坦化することは、後にその上に形成されるＥＬ層を正常に機能させることに関して重要である。
【００４１】
第２層間絶縁膜５４４の上には、第２パシベーション膜５４５が形成される。この第２パシベーション膜５４５は、ＥＬ素子から拡散するアルカリ金属の透過を防ぐという機能を奏する。この第２パシベーション膜５４５は第１パシベーション膜５４１と同じ材料によって形成できる。また、第２パシベーション膜５４５は、ＥＬ素子で発生した熱を逃がす放熱層としても機能することが望ましく、この放熱機能により、ＥＬ素子に熱が蓄積することを防止できる。
【００４２】
第２パシベーション膜５４５の上に画素電極５４６が形成される。この画素電極５４６は、例えば透明導電膜によって形成されて、ＥＬ素子の陽極として機能する。この画素電極５４６は、第２パシベーション膜５４５、第２層間絶縁膜５４４及び第１パシベーション膜５４１にコンタクトホール、すなわち開口を開けた後、形成されたそのコンタクトホールにおいて電流制御用ＴＦＴ５０２のドレイン配線５３７に接続するように形成される。
【００４３】
次に、画素電極５４６の上にＥＬ層５４７が形成される。このＥＬ層５４７は単層構造又は多層構造で形成されるが、一般には、多層構造の場合が多い。このＥＬ層５４７において、画素電極５４６に直接に接触する層としては、正孔注入層、正孔輸送層又は発光層がある。本実施形態では、発光層は白色で発光するものとし、この白色光がカラーフィルタ基板５０６におけるＲ，Ｇ，Ｂの各色絵素部分を通過することにより、カラー表示が行われる。
【００４４】
次に、ＥＬ層５４７の上に陰極５４８が形成され、さらにその上に保護電極５４９が形成される。これらの陰極５４８及び保護電極５４９は、例えば、真空蒸着法によって形成される。なお、陰極５４８と保護電極５４９とを大気解放しないで連続的に形成すれば、ＥＬ層５４７の劣化を抑えることができる。なお、画素電極５４６、ＥＬ層５４７及び陰極５４８によって形成される発光素子がＥＬ素子５０３である。陰極５４８としては、仕事関数の小さいマグネシウム（Ｍｇ）、リチウム（Ｌｉ）又はカルシウム（Ｃａ）を含む材料を用いることができる。保護電極５４９は陰極５４８を外部の水分等から保護するために設けられるものであり、例えば、アルミニウム（Ａｌ）又は銀（Ａｇ）を含む材料を用いることができる。この保護電極５４９には放熱効果もある。
【００４５】
保護電極５４９の上には、第３パシベーション膜５５０が形成される。この第３パシベーション膜５５０は、ＥＬ層５４７を水分から保護するように機能すると共に、必要に応じて、第２パシベーション膜５４５と同様に放熱機能を奏するようにしても良い。なお、ＥＬ層として有機材料を用いる場合には、その有機材料は酸素との結合によって劣化する可能性があるので、酸素を放出し易い絶縁膜は第３パシベーション膜５５０として用いないことが望ましい。
【００４６】
本実施形態では、図８に示すように、表示領域Ｖだけでなく駆動回路４０２，４０３にも最適な構造のＴＦＴを基板４００上に直接に形成するようになっており、これにより、動作に関して高い信頼性を達成している。なお、ここでいう駆動回路としては、シフトレジスタ、バッファ、レベルシフタ、サンプリング回路等が含まれる。また、デジタル駆動を行う場合には、Ｄ／Ａコンバータ等といった信号変換回路を含めることもできる。
【００４７】
なお、基板４００の上には、表示領域Ｖ及び駆動回路４０２，４０３等といった回路構成以外に、信号分割回路、Ｄ／Ａコンバータ回路、オペアンプ回路、γ補正回路等といった論理回路を直接に形成することができる。さらには、メモリ部やマイクロプロセッサ等を基板４００上に直接に形成することもできる。本実施形態に係るＥＬ装置４１０は以上のように構成されているので、図２０において、ゲート側駆動回路４０２によってゲート配線５１１へ走査信号又データ信号の一方が供給され、ソース側駆動回路４０３によってソース配線５２１へ走査信号又はデータ信号の他方が供給される。一方、電流供給線５１２によって各表示ドット４５０内の電流制御用ＴＦＴ５０２へＥＬ素子を発光させるための電流が供給される。
【００４８】
表示領域Ｖ内にマトリクス状に配列された複数の表示ドット４５０のうちの適宜のものがデータ信号に基づいて個々に選択され、その選択期間においてスイッチング用ＴＦＴ５０１がオン状態になってデータ電圧の書き込みが行われ、非選択期間ではＴＦＴ５０１がオフ状態になることで電圧が保持される。このようなスイッチング及び記憶動作により、複数の表示ドット４５０のうちの適宜のものが選択的に発光し、この発光点の集まりにより、図８の紙面奥側、すなわち図９に矢印Ｑで示す方向に、文字、数字、図形等といった像が表示される。ＥＬ素子５０３からの光はカラーフィルタ基板５０６を通過するので、表示される像はカラー像である。
【００４９】
（その他の実施の形態）
例えば、以上説明した各実施形態においては、いずれもパッシブマトリクス型の液晶表示パネルを例示してきたが、本発明の電気光学装置としては、アクティブマトリクス型の液晶表示パネル（例えば、ＴＦＴ（薄膜トランジスタ）やＴＦＤ（薄膜ダイオード）をスイッチング素子として備えた液晶表示パネル）にも同様に適用することが可能である。また、液晶表示パネルだけでなく、エレクトロルミネッセンス装置、無機エレクトロルミネッセンス装置、プラズマディスプレイ装置、電気泳動表示装置、電界放出表示装置、ＬＥＤ（ライトエミッティングダイオード）表示装置などのように、複数の画素毎に表示状態を制御可能な各種の電気光学装置においても本発明を同様に適用することが可能である。
【００５０】
【発明の効果】
以上説明したように、本発明の電気的接続構造および電気光学装置、並びに電子機器によれば、ＦＰＣの外側両端部に一端が湾曲したダミー端子を配置したので、ベースフィルムの接続部分に裂けが生じたとしても、このダミー端子によって裂け目の進行が阻止される。この結果、有効接続端子が断線することを防止することができる。
【図面の簡単な説明】
【図１】本発明の電気的接続構造を適用する電子機器の一例である携帯電話機の外観を示す斜視図である。
【図２】本発明が適用される電気光学装置の一例である液晶表示パネルの概略平面図である。
【図３】図２の液晶表示パネルとＦＰＣの接続部分の拡大図である。
【図４】裂け目の進行状態を示す説明図である。
【図５】ダミー端子の別の形状を示す平面図である。
【図６】この発明の変形例を示す平面図である。
【図７】この発明の変形例を示す平面図である。
【図８】電気光学装置の一例であるアクティブマトリクス方式のＥＬ装置に本発明を適用した場合の実施形態を示す平面図である。
【図９】図８のＫ−Ｋ’線におけるＥＬ装置の断面図である。
【図１０】図８における矢印ＩＩＩを拡大した、互いに隣り合う２つの表示ドットを示す説明図である。
【図１１】図１０に示した表示ドット内の電気的な回路構成を等価回路図である。
【図１２】図１０におけるＶ−Ｖ線に従って、ＥＬ素子を駆動するためのアクティブ素子部分の構造を示す断面図である。
【図１３】従来のダミー端子の形状を示す平面図である。
【符号の説明】
１　　　携帯電話機
２　　　表示部
１０　　　液晶表示パネル
１１　　　電極パターン
１２　　　透明基板
２０　　　ＦＰＣ
２１　　　ベースフィルム
２２　　　ＩＣチップ
２３　　　接続端子
２４　　　ダミー端子
２４ａ　　　湾曲部
３　　　操作部
３０　　　キーボタン
４　　　スピーカ穴
５　　　マイク穴
【図１】
2004055997.tif 000003
【図２】
2004055997.tif 000004
【図３】
2004055997.tif 000005
【図４】
2004055997.tif 000006
【図５】
2004055997.tif 000007
【図６】
2004055997.tif 000008
【図７】
2004055997.tif 000009
【図８】
2004055997.tif 000010
【図９】
2004055997.tif 000011
【図１０】
2004055997.tif 000012
【図１１】
2004055997.tif 000013
【図１２】
2004055997.tif 000014
【図１３】
2004055997.tif 000015